(57)【要約】【課題】インピーダンスの変化の影響を低減し、電力の伝達効率の低下を低減する無線給電システムを提供する。【解決手段】無線給電システム１０は、屋外に設けられている駐機場１１と飛行装置１２との間において、電界結合を用いて非接触で電力を伝達する。無線給電システム１０は、高周波生成部２１、送電電極部２２、反射検出部２４および制御部２５を備える。高周波生成部２１は、高周波の電力を生成する。送電電極部２２は、駐機場１１に設けられ、高周波生成部２１で生成した高周波を出力する。反射検出部２４は、高周波生成部２１で生成し送電電極部２２から出力する電力について、送電電極部２２における反射率を検出する。制御部２５は、反射検出部２４で検出した電力の反射率に基づいて、高周波生成部２１から出力する電力を制御する。【選択図】図２
2020195186.tif 000002
【特許請求の範囲】
【請求項１】
屋外に設けられている駐機場（１１）と、前記駐機場（１１）に着陸または前記駐機場（１１）から離陸する飛行装置（１２）との間において、電界結合を用いて非接触で電力を伝達する無線給電システムであって、
高周波の電力を生成する高周波生成部（２１）と、
前記駐機場（１１）に設けられ、前記高周波生成部（２１）で生成した高周波を出力する送電電極部（２２）と、
前記高周波生成部（２１）で生成し前記送電電極部（２２）から出力する電力について、前記送電電極部（２２）における反射を検出する反射検出部（２４）と、
前記反射検出部（２４）で検出した電力の反射に基づいて、前記高周波生成部（２１）から出力する電力を制御する制御部（２５）と、
を備える無線給電システム。
【請求項２】
前記制御部（２５）は、前記送電電極部（２２）における電力の反射率が予め設定した上限値以上のとき、前記高周波生成部（２１）から出力する電力を予め設定した小電力値に設定する請求項１記載の無線給電システム。
【請求項３】
前記制御部（２５）は、前記送電電極部（２２）における電力の反射率が予め設定した上限値と下限値との間にあるとき、前記高周波生成部（２１）から出力する電力を予め設定した中電力値に設定する請求項２記載の無線給電システム。
【請求項４】
前記制御部（２５）は、前記送電電極部（２２）における電力の反射率が予め設定した下限値以下のとき、前記高周波生成部（２１）から出力する電力を予め設定した大電力値に設定する請求項２記載の無線給電システム。
【請求項５】
前記送電電極部（２２）の少なくとも前記飛行装置（１２）と対向する面を覆い、撥水性を有する床部（５４）をさらに備える請求項１から４のいずれか一項記載の無線給電システム。
【発明の詳細な説明】
【技術分野】
【０００１】
本発明は、無線給電システムに関し、特に無人の飛行装置に電力を供給する無線給電システムに関する。
【背景技術】
【０００２】
近年、いわゆるドローンと称される無人の飛行装置が普及している。この飛行装置は、主にバッテリなどに蓄えた電力を動力源としてモータでプロペラを駆動することにより飛行する。この飛行装置への電力の供給は、バッテリなどを充電することによって行なわれる。この場合、無線による非接触の電力の供給が期待されている。飛行装置は、主に屋外を飛行することから、電力の供給を受ける駐機場も屋外に設置される。
【０００３】
しかしながら、駐機場を屋外に設置する場合、無線による電力を送信する送電電極部は雨や露などに晒される。雨や露によって送電電極部が濡れると、飛行装置に設けられている受電電極部との間の誘電率に変化が生じる。この誘電率の変化はインピーダンスの変化を招き、送電電極部から受電電極部への電力の伝達効率の低下を招くという問題がある。
【先行技術文献】
【特許文献】
【０００４】
【特許文献１】特開２０１９−１７１５１号公報
【発明の概要】
【発明が解決しようとする課題】
【０００５】
そこで、インピーダンスの変化の影響を低減し、電力の伝達効率の低下を低減する無線給電システムを提供することにある。
【課題を解決するための手段】
【０００６】
本開示の無線給電システムは、高周波生成部から出力する電力を制御する制御部を備えている。制御部は、高周波生成部で生成して送電電極部から出力する電力について、反射検出部を通して送電電極部における反射率を取得する。制御部は、取得した反射率に基づいて、高周波生成部から出力する電力を制御する。例えば反射検出部で検出した電力の反射率が大きいとき、送電電極部が設けられた駐機場には飛行装置が駐機していないと考えられる。そのため、制御部は、高周波生成部から送電電極部への電力の供給を抑える。また、例えば反射検出部で検出した電力の反射率が小さいとき、駐機場には飛行装置が駐機していると考えられる。そのため、制御部は、高周波生成部から送電電極部へ大きな電力を供給する。さらに、例えば電力の反射率がこれら大と小との間にあるとき、駐機場には水滴など誘電率の変化を生じさせる物質が付着して送電電極部と受電電極部との間に存在していると考えられる。そのため、制御部は、高周波生成部から送電電極部へ適度な電力を供給し、送電電極部と受電電極部との間に存在する水を加熱する。これにより、送電電極部と受電電極部との間に存在する水滴は、送電電極部に供給された電力による加熱によって除去される。したがって、駐機場に付着した水滴などによるインピーダンスの変化の影響が低減され、電力の伝達効率の低下を低減することができる。
【図面の簡単な説明】
【０００７】
【図１】一実施形態による無線給電システムを適用した駐機場および飛行装置を示す模式図
【図２】一実施形態による無線給電システムの構成を示すブロック図
【図３】一実施形態による無線給電システムを適用した駐機場および飛行装置を示す模式図
【図４】一実施形態による無線給電システムにおける処理の流れを示す概略図
【発明を実施するための形態】
【０００８】
以下、一実施形態による無線給電システムについて説明する。
図１および図２に示すように無線給電システム１０は、駐機場１１から飛行装置１２へ電界結合を用いて非接触で電力を供給する。無線給電システム１０は、図２に示すように高周波生成部２１、送電電極部２２、信号変換部２３、反射検出部２４および制御部２５を備えている。また、無線給電システム１０は、上記に加え、受電電極部３１、受電回路部３２、蓄電部３３、駆動部３４および機体制御部３５を備えている。この無線給電システム１０を構成する高周波生成部２１、送電電極部２２、信号変換部２３、反射検出部２４および制御部２５は、いずれも地上の駐機場１１側に設けられている。また、無線給電システム１０を構成する受電電極部３１、受電回路部３２、蓄電部３３、駆動部３４および機体制御部３５は、いずれも可動側である飛行装置１２に設けられている。飛行装置１２は、地上側の駐機場１１から離陸、または駐機場１１へ着陸する。飛行装置１２は、駐機場１１に駐機しているとき、駐機場１１から非接触で電力の供給を受ける。
【０００９】
高周波生成部２１は、例えばインバータを有しており、電源４１からの電力を用いて高周波を生成する。高周波生成部２１で生成した高周波は、信号変換部２３を通して送電電極部２２に供給される。信号変換部２３は、例えばバラン（balun）と称される平衡−不平衡変換器を有しており、高周波生成部２１から供給された高周波を送電電極部２２へ分配する。反射検出部２４は、高周波生成部２１から送電電極部２２へ出力された電力の反射を検出する。すなわち、高周波生成部２１から送電電極部２２へ出力された電力は、高周波の特性として、その一部が送電電極部２２で反射する。反射検出部２４は、この送電電極部２２において反射した電力を検出する。反射検出部２４は、検出した電力を、電気信号として制御部２５へ出力する。
【００１０】
制御部２５は、高周波生成部２１および反射検出部２４に接続している。制御部２５は、例えばＣＰＵ、ＲＯＭおよびＲＡＭで構成されるマイクロコンピュータを有している。制御部２５は、ＣＰＵでコンピュータプログラムを実行することにより、反射率算出部４２および出力制御部４３をソフトウエア的に実現する。なお、反射率算出部４２および出力制御部４３は、ソフトウエア的に限らず、ハードウエア的、またはソフトウエアとハードウエアとの協働によって実現してもよい。反射率算出部４２は、高周波生成部２１で生成した高周波の電力と、反射検出部２４で検出した電力とから反射率を算出する。すなわち、反射率算出部４２は、高周波生成部２１で出力した電力に対し、送電電極部２２から反射した電力の割合を反射率として算出する。出力制御部４３は、反射率算出部４２で算出した反射率に基づいて、高周波生成部２１を制御する。すなわち、出力制御部４３は、算出した反射率に基づいて、高周波生成部２１が生成する高周波の電力の出力を制御する。
【００１１】
飛行装置１２の受電電極部３１は、駐機場１１に駐機しているとき、駐機場１１の送電電極部２２と対向する。このとき、受電電極部３１は、非接触で送電電極部２２と対向する。送電電極部２２が高周波の電力を出力することにより、受電電極部３１は電界結合を用いて送電電極部２２から非接触で電力を受け取る。このように、高周波生成部２１で生成した高周波の電力は、送電電極部２２から受電電極部３１へ非接触で伝送される。
【００１２】
受電回路部３２は、例えば整流回路などを有しており、受電電極部３１で受け取った電力を整流する。整流された電力は、蓄電部３３に蓄えられる。受電回路部３２は、例えばＤＣ−ＤＣコンバータなどのように受電電極部３１で受け取った電力、または整流回路で整流された電力を変圧する変圧回路などを有していてもよい。蓄電部３３は、例えばバッテリやキャパシタなどを有しており、整流された電力を蓄える。駆動部３４は、モータ５１やプロペラ５２などを有しており、飛行装置１２が飛行するための推進力を発生する。駆動部３４は、飛行装置１２に複数設けられている。
【００１３】
機体制御部３５は、蓄電部３３から駆動部３４へ供給する電力を制御するとともに、受電電極部３１から蓄電部３３への充電を制御する。機体制御部３５は、姿勢検出部５３に接続している。姿勢検出部５３は、例えば図示しない加速度センサや角速度センサなどを有しており、飛行装置１２に加わる加速度、角速度、高度、地磁気などの飛行装置１２の飛行状態を検出する。姿勢検出部５３は、これらの各種のセンサで取得されたデータを機体制御部３５へ出力する。機体制御部３５は、地上からの指示および姿勢検出部５３で取得された飛行状態に基づいて、モータ５１の回転数やプロペラ５２のピッチなどを変更する。これにより、機体制御部３５は、複数の駆動部３４が発生する推進力をそれぞれ制御する。機体制御部３５は、複数の駆動部３４から発生する推進力を制御することにより、飛行装置１２の飛行姿勢や飛行速度を制御する。また、機体制御部３５は、蓄電部３３の充電量が予め設定された範囲内となるように受電回路部３２から蓄電部３３へ供給する電力を制御する。
【００１４】
無線給電システム１０は、図１に示すように、駐機場１１に送電電極部２２および床部５４を備えている。床部５４は、送電電極部２２の少なくとも飛行装置１２と対向する面を覆っている。すなわち、床部５４は、飛行装置１２が駐機場１１に駐機しているとき、送電電極部２２と受電電極部３１との間に位置する。飛行装置１２は、駐機場１１側へ伸びる脚部５５を有している。脚部５５は、飛行装置１２が駐機場１１に駐機しているとき、床部５４に接する。脚部５５が床部５４に接することにより、駐機場１１に設けられている送電電極部２２と飛行装置１２に設けられている受電電極部３１との間には床部５４を挟んで所定の間隔が確保される。
【００１５】
床部５４は、例えば撥水性を有する材料で形成、または撥水性を有する材料が塗布されている。この場合、床部５４は、例えばフッ素樹脂などのように撥水性を有する材料で形成または塗布してもよく、微細な表面加工により撥水構造としてもよい。これにより、床部５４に付着した水滴は、風によって除去される。例えば飛行装置１２が駐機場１１に着陸するとき、図３に示すように駐機場１１は飛行装置１２から下降する風を受ける。つまり、飛行装置１２が駐機場１１に着陸するとき、飛行装置１２の飛行を維持するために、飛行装置１２から駐機場１１へ向かう気流が形成される。このように駐機場１１が飛行装置１２から風を受けると、この風によって撥水性を有する床部５４に付着した水滴の多くは床部５４から除去される。この場合、例えば床部５４に隣接して溝部５６を設けてもよい。これにより、飛行装置１２から受ける風によって床部５４を移動する水滴は、溝部５６に捕集される。その結果、床部５４つまり受電電極部３１の飛行装置１２側に付着する水滴の除去が促される。
【００１６】
次に、制御部２５における処理について詳細に説明する。
制御部２５は、上述のように反射検出部２４で検出した電力の反射に基づいて高周波生成部２１の出力を制御する。このとき、制御部２５は、反射率算出部４２において算出した反射率の大きさに基づいて高周波生成部２１を制御する。制御部２５は、反射率算出部４２で算出した反射率を、大領域、中領域または小領域のいずれかに分類する。すなわち、制御部２５は、反射率が予め設定した上限値Ａ以上のとき、反射率を大領域に分類する。また、制御部２５は、反射率が予め設定した下限値Ｂ以下のとき、反射率を小領域に分類する。さらに、制御部２５は、反射率が予め設定した上限値Ａと下限値Ｂとの間にあるとき、反射率を中領域に分類する。上限値Ａおよび下限値Ｂは、例えば無線給電システム１０の特性、駐機場１１および飛行装置１２の特性などに応じて任意に設定することができる。ここでは、説明の簡単のために、一例として、上限値Ａは反射率８０％、下限値Ｂは反射率３０％とする。この一例の場合、制御部２５は、反射率算出部４２で算出した反射率が８０％以上であれば大領域と分類し、反射率が３０％以下であれば小領域と分類し、反射率が３０％〜８０％であれば中領域と分類する。
【００１７】
出力制御部４３は、反射率が大領域にあるとき、高周波生成部２１から出力する電力を予め設定した小電力値Ｗａに制御する。また、出力制御部４３は、反射率が小領域にあるとき、高周波生成部２１から出力する電力を予め設定した大電力値Ｗｂに制御する。さらに、出力制御部４３は、反射率が中領域にあるとき、高周波生成部２１から出力する電力を予め設定した中電力値Ｗｃに制御する。小電力値Ｗａ、大電力値Ｗｂおよび中電力値Ｗｃは、例えば高周波生成部２１の能力、および蓄電部３の容量など、送電側および受電側の特性に応じて任意に設定することができる。ここでは、説明の簡単のために、一例として、小電力値Ｗａは１０Ｗ、大電力値Ｗｂは１０００Ｗ、中電力値Ｗｃは３００Ｗとする。
【００１８】
駐機場１１に飛行装置１２が駐機していないとき、送電電極部２２から出力した電力を受け取る対象が存在しない。そのため、高周波生成部２１から送電電極部２２へ出力した電力の大部分は、送電電極部２２において反射する。その結果、駐機場１１に飛行装置１２が駐機していないとき、反射率は上限値Ａ以上の大領域となる。このように、駐機場１１に飛行装置１２が駐機していないとき、送電電極部２２は大きな電力を出力する必要がない。つまり、エネルギーの消費を低減することが好ましい。そこで、出力制御部４３は、反射率算出部４２で算出した反射率が大領域にあるとき、高周波生成部２１から出力する電力を小電力値Ｗａに設定する。
【００１９】
一方、駐機場１１に飛行装置１２が駐機しているとき、送電電極部２２から出力する電力を受け取る対象が存在する。そのため、送電電極部２２と受電電極部３１との間に水などが存在しなければ、高周波生成部２１から送電電極部２２へ出力した電力の大部分は、送電電極部２２で反射することなく、飛行装置１２の受電電極部３１へ伝達される。その結果、駐機場１１に飛行装置１２が駐機し、送電電極部２２と受電電極部３１との間に水などが存在していないとき、反射率は下限値Ｂ以下の小領域となる。このように、床部５４が乾燥した状態で駐機場１１に飛行装置１２が駐機しているとき、送電電極部２２は蓄電部３３の充電のために大きな電力を出力することができる。そこで、出力制御部４３は、反射率算出部４２で算出した反射率が小領域にあるとき、高周波生成部２１から出力する電力を大電力値Ｗｂに設定する。
【００２０】
ところで、駐機場１１の送電電極部２２を覆う床部５４に水滴が付着すると、送電電極部２２と受電電極部３１との間には水が存在する。このように、送電電極部２２と受電電極部３１との間に水が存在しているとき、送電電極部２２と受電電極部３１との間の誘電率が変化する。送電電極部２２と受電電極部３１との間の誘電率が変化すると、これにともなって送電電極部２２と受電電極部３１との間のインピーダンスは、電界結合による電力の伝達効率の高い最適値から変化する。そのため、送電電極部２２から受電電極部３１への電力の伝達効率が低下し、蓄電部３３の充電が妨げられる原因となる。そこで、送電電極部２２と受電電極部３１との間に水が存在するとき、この水を除去する必要がある。送電電極部２２と受電電極部３１との間に水が存在すると、飛行装置１２が駐機場１１に駐機しているときでも、送電電極部２２から受電電極部３１へ伝達される電力は減少する。そのため、送電電極部２２における電力の反射率は、上限値Ａより小さく下限値Ｂより大きな中領域となる。このように、送電電極部２２と受電電極部３１との間の水の付着は、反射率によって検出可能である。そこで、出力制御部４３は、反射率算出部４２で算出した反射率が中領域にあるとき、駐機場１１の送電電極部２２と飛行装置１２の受電電極部３１との間に水が存在していると判断する。これにより、出力制御部４３は、反射率算出部４２で算出した反射率が中領域にあるとき、高周波生成部２１から出力する電力を中電力値Ｗｃに設定する。このように高周波生成部２１から送電電極部２２へ中電力値Ｗｃの電力を供給することにより、送電電極部２２と受電電極部３１との間に存在する水は加熱される。その結果、送電電極部２２と受電電極部３１との間に存在する水は、蒸発し、除去される。この場合、高周波生成部２１から送電電極部２２へ供給する電力を中電力値Ｗｃに設定することにより、送電電極部２２に付着した水の加熱が促され、送電電極部２２の過剰な加熱やこれにともなう機器の損傷が回避される。
【００２１】
次に、上記の構成による無線給電システム１０の作動について図４に基づいて説明する。
無線給電システム１０の制御部２５を起動すると（Ｓ１０１）、出力制御部４３は高周波生成部から出力する電力を小電力値Ｗａに設定する（Ｓ１０２）。これにより、高周波生成部２１は、送電電極部２２へ小電力値Ｗａで電力を出力する（Ｓ１０３）。制御部２５は、Ｓ１０３で電力の出力を開始すると、反射検出部２４を通して反射率を取得する（Ｓ１０４）。そして、制御部２５は、反射率算出部４２において、反射検出部２４で検出した電力に基づいて反射率を算出する。制御部２５は、Ｓ１０４で取得した反射率が上限値Ａ以上であるか否かを判断する（Ｓ１０５）。
【００２２】
制御部２５は、Ｓ１０５において反射率が上限値Ａ以上であると判断すると（Ｓ１０５：Ｙｅｓ）、反射率が大領域にあると分類する（Ｓ１０６）。そして、出力制御部４３は、高周波生成部２１から送電電極部２２へ出力する電力を小電力値Ｗａに設定する（Ｓ１０７）。これにより、高周波生成部２１は、送電電極部２２へ小電力値Ｗａで電力を出力する（Ｓ１０８）。すなわち、反射率が上限値Ａ以上であるとき、駐機場１１に飛行装置１２が駐機していない、または駐機前の着陸過程にあると考えられる。そのため、送電電極部２２へ大きな電力を供給しても、駐機場１１から飛行装置１２へ電力の伝達は行なわれない。そこで、出力制御部４３は、無用な電力の消費の低減を図るために、高周波生成部２１から送電電極部２２へ供給する電力を小電力値Ｗａとする。すなわち、出力制御部４３は、高周波生成部２１を含む地上側を、消費電力の小さな待機状態とする。
【００２３】
制御部２５は、Ｓ１０５において反射率が上限値Ａ未満であると判断すると（Ｓ１０５：Ｎｏ）、反射率が下限値Ｂ以下であるか否かを判断する（Ｓ１０９）。制御部２５は、Ｓ１０９において反射率が下限値Ｂ以下であると判断すると（Ｓ１０９：Ｙｅｓ）、反射率が小領域にあると分類する（Ｓ１１０）。そして、出力制御部４３は、高周波生成部２１から送電電極部２２へ出力する電力を大電力値Ｗｂに設定する（Ｓ１１１）。これにより、高周波生成部２１は、送電電極部２２へ大電力値Ｗｂで電力を出力する（Ｓ１１２）。すなわち、反射率が下限値Ｂ以下であるとき、駐機場１１に飛行装置１２が駐機し、送電電極部２２と受電電極部３１との間に水などが存在していないと考えられる。そのため、送電電極部２２へ大きな電力を供給することにより、駐機場１１の送電電極部２２と飛行装置１２の受電電極部３１との間では充電に十分な電力が伝達される。そこで、出力制御部４３は、飛行装置１２へ電力を供給するために、高周波生成部２１から送電電極部２２へ供給する電力を大電力値Ｗｂとする。これにより、駐機場１１から飛行装置１２へ十分な電力が供給され、蓄電部３３は充電される。
【００２４】
一方、制御部２５は、Ｓ１０９において反射率が下限値Ｂ以下でない、つまり反射率が上限値Ａと下限値Ｂとの間にあると判断すると（Ｓ１０９：Ｎｏ）、反射率が中領域にあると分類する（Ｓ１１３）。そして、出力制御部４３は、高周波生成部２１から送電電極部２２へ出力する電力を中電力値Ｗｃに設定する（Ｓ１１４）。これにより、高周波生成部２１は、送電電極部２２へ中電力値Ｗｃで電力を出力する（Ｓ１１５）。すなわち、反射率が上限値Ａと下限値Ｂとの間にあるとき、駐機場１１に飛行装置１２が駐機しているものの、送電電極部２２と受電電極部３１との間に水などのインピーダンスの変化を招き電力の伝達を妨げる物質が存在していると考えられる。そこで、出力制御部４３は、高周波生成部２１から送電電極部２２へ出力する電力を、蓄電部３３の充電に必要な電力よりも小さく、かつ待機状態よりも大きな値に設定する。これにより、送電電極部２２と受電電極部３１との間に存在する水は加熱される。その結果、送電電極部２２と受電電極部３１との間に存在する水は、除去される。
【００２５】
制御部２５は、Ｓ１０８において高周波生成部２１から小電力値Ｗａで電力を出力、Ｓ１１２において高周波生成部２１から大電力値Ｗｂで電力を出力、またはＳ１１５において高周波生成部２１から中電力値Ｗｃで電力を出力すると、Ｓ１０４へリターンし、反射率の監視を継続する。制御部２５は、反射検出部２４で検出した反射率に基づいて、高周波生成部２１から出力する電力を制御する。例えばＳ１１２において大電力値Ｗｂで電力を出力した後、反射率が上限値Ａよりも大きくなると、飛行装置１２の蓄電部３３の充電が完了したと考えられる。そのため、出力制御部４３は、高周波生成部２１から出力する電力を小電力値Ｗａに変更し、待機状態へ移行する。このように、制御部２５は、送電電極部２２における電力の反射率に基づいて、高周波生成部２１から出力する電力を制御する。また、例えばＳ１１５において中電力値Ｗｃで電力を出力した後、反射率が下限値Ｂよりも小さくなると、送電電極部２２と受電電極部３１との間の水が蒸発して除去されたと考えられる。そのため、出力制御部４３は、高周波生成部２１から出力する電力を大電力値Ｗｂに変更し、飛行装置１２へ十分な電力を供給する。
【００２６】
上述の一実施形態の無線給電システム１０は、高周波生成部２１から出力する電力を制御する制御部２５を備えている。制御部２５は、高周波生成部２１で生成して送電電極部２２から出力する電力について、反射検出部２４を通して送電電極部２２における反射率を取得する。制御部２５は、取得した反射率に基づいて、高周波生成部２１から出力する電力を制御する。すなわち、反射検出部２４で検出した反射率が上限値Ａ以上のとき、送電電極部２２が設けられた駐機場１１には飛行装置１２が駐機していないと考えられる。そのため、制御部２５は、高周波生成部２１から送電電極部２２へ供給する電力を小電力値Ｗａとして、電力の供給を抑える。また、反射検出部２４で検出した反射率が下限値Ｂ以下のとき、駐機場１１には飛行装置１２が駐機していると考えられる。そのため、制御部２５は、高周波生成部２１から送電電極部２２へ供給する電力を大電力値Ｗｂとして、飛行装置１２の蓄電部３３を充電するのに十分な電力を供給する。さらに、反射検出部２４で検出した反射率が上限値Ａと下限値Ｂとの間にあるとき、駐機場１１には水滴などインピーダンスの変化を生じさせる物質が付着し、送電電極部２２と受電電極部３１との間に存在していると考えられる。そのため、制御部２５は、高周波生成部２１から送電電極部２２へ供給する電力を中電力値Ｗｃとして、送電電極部２２と受電電極部３１との間に存在する水を加熱する。これにより、送電電極部２２と受電電極部３１との間に存在する水は、加熱によって蒸発し、除去される。したがって、駐機場１１に付着した水滴などによるインピーダンスの変化の影響を低減し、電力の伝達効率の低下を低減することができる。
【００２７】
また、一実施形態では、送電電極部２２の少なくとも飛行装置１２の受電電極部３１と対向する面は、撥水性を有している。これにより、床部５４は、飛行装置１２が着陸時に地上側の送電電極部２２に接近すると、飛行装置１２から生じる下向きの風に晒される。そのため、床部５４に付着した水滴などは、飛行装置１２の接近時における下向きの風によって吹き飛ばされる。その結果、送電電極部２２を含む床部５４の飛行装置１２側に存在する水は、駐機場１１から飛行装置１２へ電力の供給を開始する前に、除去が促される。したがって、電力の供給の前に中電力値Ｗｃによる加熱が短縮され、消費電力の低減を図ることができる。
【００２８】
以上説明した本発明は、上記実施形態に限定されるものではなく、その要旨を逸脱しない範囲で種々の実施形態に適用可能である。
【００２９】
本開示は、実施例に準拠して記述されたが、本開示は当該実施例や構造に限定されるものではないと理解される。本開示は、様々な変形例や均等範囲内の変形をも包含する。加えて、様々な組み合わせや形態、さらには、それらに一要素のみ、それ以上、あるいはそれ以下、を含む他の組み合わせや形態をも、本開示の範疇や思想範囲に入るものである。
本開示に記載の制御部およびその手法は、コンピュータプログラムにより具体化された一つ乃至は複数の機能を実行するようにプログラムされたプロセッサおよびメモリを構成することによって提供された専用コンピュータにより、実現されてもよい。あるいは、本開示に記載の制御部およびその手法は、一つ以上の専用ハードウエア論理回路によってプロセッサを構成することによって提供された専用コンピュータにより、実現されてもよい。もしくは、本開示に記載の制御部およびその手法は、一つ乃至は複数の機能を実行するようにプログラムされたプロセッサおよびメモリと一つ以上のハードウエア論理回路によって構成されたプロセッサとの組み合わせにより構成された一つ以上の専用コンピュータにより、実現されてもよい。また、コンピュータプログラムは、コンピュータにより実行されるインストラクションとして、コンピュータ読み取り可能な非遷移有形記録媒体に記憶されていてもよい。
【符号の説明】
【００３０】
図面中、１０は無線給電システム、１１は駐機場、１２は飛行装置、２１は高周波生成部、２２は送電電極部、２４は反射検出部、２５は制御部、５４は床部を示す。
【図１】
2020195186.tif 000003
【図２】
2020195186.tif 000004
【図３】
2020195186.tif 000005
【図４】
2020195186.tif 000006